【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
少なくとも第１及び第２のソーラパネルを有するソーラパネルの実装に用いられる製品であって、各ソーラパネルは、前記ソーラパネルの周囲を囲むフレームと、前記フレームの一部に沿って配置され且つ前記ソーラパネルを１以上の搭載点に取り付けるように構成された第１のチャネルと、前記フレームの内面と外面のうちの一方に沿って配置された第２のチャネルとを備え、前記第２のチャネルは、前記チャネル内に配置されたファスナの拡張部分を保持するように構成されており、前記製品は、
第１の端と、該第１の端とは反対側にある第２の端とを有する長尺状体であって、それぞれの前記第１及び第２の端の各々は、前記第２のチャネルの構成と合致する形状であって、且つ、それぞれの前記第１のソーラパネル及び前記第２のソーラパネルの前記第２のチャネル内に受容され且つ保持される形状とされる、長尺状体と、
前記第１及び第２のソーラパネルと係合するための互いに反対側の面と、ファスナ穴と、スロットであって該スロット内に前記長尺状体を配置させるスロットと、を画定するスペーサと、
前記ファスナ穴内に配置されるファスナと、
前記ファスナによって前記スペーサに固定され、且つ、各々が前記第１及び第２のソーラパネルの前記フレームの下部部分をそれぞれ受容するように構成された第１及び第２のシートを画定するクランプと、
を備え、
前記長尺状体は、水平方向に沿って前記スペーサ内をスライド可能であり、
前記クランプは、前記水平方向と直交する垂直方向にクランプ力を作用させるように配置され、
前記ファスナ及び前記ファスナ穴は、前記水平方向及び前記垂直方向と直交する縦方向に前記長尺状体からオフセットされている、製品。
【請求項２】
前記ファスナは、前記第１及び第２のシートを、前記第１及び第２のソーラパネルの前記フレームの一部分と係合するように維持するように構成されている、請求項１に記載の製品。
【請求項３】
前記ファスナは、ボルト、ねじ、楔子、及び、戻り止めのうちの少なくとも１つである、請求項２に記載の製品。
【請求項４】
前記ファスナは、バネ付勢されている、請求項２に記載の製品。
【請求項５】
前記ファスナは、前記スペーサ及びクランプに噛み合うボルトを含む、請求項２に記載の製品。
【請求項６】
前記ボルトは、頭部と、ねじ山部分とを含み、
前記クランプは、前記頭部と前記スペーサとの間に捕捉され、前記ねじ山部分は、前記スペーサにねじ山をつけ得るように噛み合うことと、
前記スペーサは、前記頭部と前記クランプとの間に捕捉され、前記ねじ山部分は、前記クランプとナットのうちの一方にねじ山をつけ得るように噛み合い、前記ナットは前記クランプを前記スペーサと前記ナットとの間に配置させることと、
のうちの少なくとも一方である、請求項５に記載の製品。
【請求項７】
前記頭部と前記スペーサとの間、及び前記頭部と前記クランプとの間のうちの少なくとも一方に配置された付勢部材を更に備える、請求項６に記載の製品。
【請求項８】
前記付勢部材は、前記ボルトを囲むバネである、請求項７に記載の製品。
【請求項９】
前記クランプは、更に、前記第１及び第２のソーラパネルのフレーム上のコーティングを貫通するように構成された引っかき部材を画定する、請求項１に記載の製品。
【請求項１０】
前記クランプは、更に、前記第１及び第２のソーラパネルの前記第１及び第２のチャネルのうちの一方のチャネルの中へ前記長尺状体をスライドさせる時に前記フレームと係合するように構成された傾斜端部を画定する、請求項１に記載の製品。
【請求項１１】
前記第１及び第２のシートは、その中に挿入される前記第１及び第２のソーラパネルのフレームの前記一部の移動を、少なくとも１ｍｍ許容するようなサイズである、請求項１に記載の製品。
【請求項１２】
前記クランプは、チャネルと、該チャネル内のスペーサシートの最下面とを画定する、請求項１に記載の製品。
【請求項１３】
少なくとも第１及び第２のソーラパネルを有するソーラパネルの実装に用いられる製品であって、各ソーラパネルは、前記ソーラパネルの周囲を囲むフレームと、前記フレームの一部に沿って配置され且つ前記ソーラパネルを１以上の搭載点に取り付けるように構成された第１のチャネルと、前記フレームの内面と外面のうちの一方に沿って配置された第２のチャネルとを備え、前記第２のチャネルは、前記チャネル内に配置されたファスナの拡張部分を保持するように構成されており、前記製品は、
第１の端と、該第１の端とは反対側にある第２の端とを有する長尺状体であって、それぞれの前記第１及び第２の端の各々は、前記第２のチャネルの構成と合致する形状であって、且つ、それぞれの前記第１のソーラパネル及び前記第２のソーラパネルの前記第２のチャネル内に受容され且つ保持される形状とされる、長尺状体と、
前記第１及び第２のソーラパネルと係合するための互いに反対側の面と、ファスナ穴と、スロットであって該スロット内に前記長尺状体を配置させるスロットと、を画定するスペーサと、
前記ファスナ穴内に配置されるファスナと、
前記ファスナによって前記スペーサに固定され、且つ、各々が前記第１及び第２のソーラパネルの前記フレームの下部部分をそれぞれ受容するように構成された第１及び第２のシートを画定するクランプと、
を備え、
前記スロットは、第１のスロット面と第２のスロット面とを有し、該第１及び第２のスロット面の間に前記長尺状体を配置させ、前記第２のスロット面は前記スペーサのフレキシブルなフランジ部分上に画定される、製品。
【請求項１４】
前記スロット内に前記長尺状体を選択的に固定するファスナを更に備える、請求項１３に記載の製品。
【請求項１５】
前記フレキシブルなフランジ部分に固定され、且つ、前記第１のスロット面へ向かって前記スロットの内部へ延伸するリップを更に備え、前記長尺状体は、前記リップを中へ挿入させる切り欠きを画定する、請求項１４に記載の製品。
【請求項１６】
少なくとも第１及び第２のソーラパネルを有するソーラパネルの実装に用いられる製品であって、各ソーラパネルは、前記ソーラパネルの周囲を囲むフレームと、前記フレームの一部に沿って配置され且つ前記ソーラパネルを１以上の搭載点に取り付けるように構成された第１のチャネルと、前記フレームの内面と外面のうちの一方に沿って配置された第２のチャネルとを備え、前記第２のチャネルは、前記チャネル内に配置されたファスナの拡張部分を保持するように構成されており、前記製品は、
第１の端と、該第１の端とは反対側にある第２の端とを有する長尺状体であって、それぞれの前記第１及び第２の端の各々は、前記第２のチャネルの構成と合致する形状であって、且つ、それぞれの前記第１のソーラパネル及び前記第２のソーラパネルの前記第２のチャネル内に受容され且つ保持される形状とされる、長尺状体と、
前記第１及び第２のソーラパネルと係合するための互いに反対側の面と、ファスナ穴と、スロットであって該スロット内に前記長尺状体を配置させるスロットと、を画定するスペーサであって、前記長尺状体は、前記スロットを完全に通ってスライド可能であり、且つ、前記スロット内に配置されたときに前記スロットのいずれかの側面上を延伸するのに十分な長さを有する、スペーサと、
前記ファスナ穴内に配置されたファスナと、
前記ファスナによって前記スペーサに固定され、且つ、各々が前記第１及び第２のソーラパネルの前記フレームの下部部分をそれぞれ受容するように構成された第１及び第２のシートを画定するクランプと、
を備える、製品。
【手続補正２】
【補正対象書類名】明細書
【補正対象項目名】０００７
【補正方法】変更
【補正の内容】
【０００７】
本発明の一態様においては、製品（製造品）は、少なくとも第１と第２のソーラパネルを有するソーラパネルの取付けにおいて用いられるために開示される。各ソーラパネルは、ソーラパネルの周囲を巡るフレームと、フレームの一部に沿って配置された第１のチャネルとを含みうる。チャネルは、ソーラパネルを１以上の搭載点に固定するように構成されうる。第２のチャネルは、フレームの内面と外面のうちの一方に沿って配置されえ、チャネル内に配置されるファスナの拡張部分を保持するように構成されうる。製品は、第１の端、及び、第１の端とは反対側にある第２の端を有する長尺状体を含みえ、第１の端と第２の端のそれぞれは、第２のチャネルの構成と合致し、それぞれ、第１のソーラパネル及び第２のソーラパネルの第２のチャネル内で受け入れられ、保持されるような形状とされる。
【手続補正３】
【補正対象書類名】明細書
【補正対象項目名】０００８
【補正方法】変更
【補正の内容】
【０００８】
スペーサは、第１および第２のソーラパネルを係合させるための互いに反対側の面と、スロットとを規定（画定）する。長尺状体は、スロット内に配置される。クランプは、スペーサに対して固定され、第１と第２のシートを規定し、第１と第２のシートの各々は、それぞれ、第１と第２のソーラパネルのフレームの下部部分を受けるように構成される。
【手続補正４】
【補正対象書類名】明細書
【補正対象項目名】０００９
【補正方法】変更
【補正の内容】
【０００９】
本発明の他の態様においては、製品は、第１と第２のソーラパネルを係合させるための互いに反対側の面を規定するスペーサを含む。スペーサは、第１のソーラパネルの第１のチャネルに挿入するように構成される第１の結節と、第２のソーラパネルの第１のチャネルに挿入されるように構成される第２の結節とを更に含む。フランジは、第１と第２のソーラパネル間を延伸し、第１の結節が第１のチャネル内に挿入されるとき、第１と第２のソーラパネル間を延伸するように配置される。フランジは、第１と第２のソーラパネルのうちの１以上の第１のチャネル及び第２のチャネルのうちの一方に係合するファスナを受けるための穴を更に規定する。クランプは、スペーサに固定され、それぞれが、第１と第２のソーラパネルのフレームの下部部分を受けるように、それぞれ構成された第１と第２のシートを規定する。
【手続補正５】
【補正対象書類名】明細書
【補正対象項目名】００１４
【補正方法】変更
【補正の内容】
【００１４】
カプラ１００は、垂直方向１０２、垂直方向１０２と直交する水平方向１０４、及び、垂直方向１０２及び水平方向１０４と直交する縦方向１０６を含む、図示される方向に対して理解されうる。垂直方向１０２は、一般に、絶対垂直、すなわち、重力の働く方向に対応しうる。水平方向１０４は、一般に、東西、及び、西東方向に対応しうる。縦方向は、一般に、北南、及び、南北方向に対応しうる。北半球の多くの適用においては、ソーラパネルは、南向き面上に搭載され、東西方向及び北南方向のうちの一方、又は、両方に配列される。
【手続補正６】
【補正対象書類名】明細書
【補正対象項目名】００１６
【補正方法】変更
【補正の内容】
【００１６】
東西ブラケット１００は、スペーサ１０８の何れかの側にソーラパネルを噛み合わせる（係合させる）ための横面を規定するスペーサ１０８を含みうる。例えば、水平方向１０４に、相互にオフセットされたスペーサ１０８の面は、相互に平行でありえ、ソーラパネルのフレームを噛み合わせるための平坦な、又は、縁取りされた面を提供することができる。
【手続補正７】
【補正対象書類名】明細書
【補正対象項目名】００１７
【補正方法】変更
【補正の内容】
【００１７】
スペーサ１０８は、縦方向に完全に貫通して通り、スプライスを受けるスロット１１０を規定しうる。スロット１１０は、スプライス１１２のスロットを通った滑動（スライド）を容易にするために、水平方向１０４の一定の断面を規定しうる。スプライス１１２は、ねじ、ボルト、ピン、又は、スプライス１１２とスペーサ１０８を噛み合わせる他のファスナによってなどにより、スロット１１０内に固定されえる。図示された実施形態において、スペーサ上に形成されたリップ１１４は、スプライス１１２に噛み合い（係合し）、力を掛けられて動かされない限り、その除去に抵抗する。
【手続補正８】
【補正対象書類名】明細書
【補正対象項目名】００１８
【補正方法】変更
【補正の内容】
【００１８】
クランプは、垂直方向１０２でスロット１１０の下に配置されるように、スペーサ１０８に固定される。図示されているように、クランプ１１６は、水平方向１０４に、スペーサ１０８の何れかの側上で外側に延伸する。クランプ１１６は、水平方向１０４のその長さのうちのいくらか、又は、全体に沿って、チャネルを規定するＵ形状又は凹形状の断面を有し、スペーサ１０８の一部は、このチャネル内に挿入されうる。
【手続補正９】
【補正対象書類名】明細書
【補正対象項目名】００２３
【補正方法】変更
【補正の内容】
【００２３】
スプライス１１２は、水平方向１０４において、スプライス１１２の中心を通って延伸するような、切り欠き２０２を規定することができる。特に、スプライス１１２の水平エッジが、図示された実施形態においては、４５度など、例えば、４０度と６０度の間などの角度２０４で、斜めに切り取られうる。角度２０４は、リップ１１４によって規定される角度に対応しえ、リップ１１４は、スプライス１１２がスロット１１０内に配置されたとき、切り欠き２０２内に収容されうる。リップ１１４は、切り欠き２０２内に収容されるように、切り欠き２０２の角度２０４に対応する角度２０４を規定しえ、又は、それとは異なる角度２０４を有しえる。
【手続補正１０】
【補正対象書類名】明細書
【補正対象項目名】００２５
【補正方法】変更
【補正の内容】
【００２５】
下部面３０４は、破壊することなく、フランジ３０６を曲げることができるようにする厚さ及び／又は材料を有するフレキシブルなフランジ３０６上に規定されうる。例えば、図３に示されるように、スペーサ１０８の本体内の切り抜き３０８は、縦方向１０６に、スロット１１０の内壁３１０を越えて、フランジ３０６の長さを延伸する。例えば、内壁３１０を超えた切り抜き３０８の深さは、スロット１１０の開口部（例えば、図３のスペーサの最左端面）から測定した、内壁３１０までのスロット１１０の縦方向の深さ以上にすることができる。
【手続補正１１】
【補正対象書類名】明細書
【補正対象項目名】００２６
【補正方法】変更
【補正の内容】
【００２６】
フランジ３０６の形状は、３ポンドから５ポンドの力などツールの使用なしに加えられる縦方向の力に応じて、スロット１１０内で縦方向にスプライス１１２が滑動（スライド）するのに十分な、切り欠き２０２との噛み合い（係合）を外すようにリップ１１４を促すのに必要な力によって規定されうる。この縦方向の力に応じて、スロット１１０内のスプライス１１２の縦方向の滑動を可能にするために、フランジ３０６に及ぼされ、この滑動を達成するためにフランジ３０６を屈曲させるために必要な垂直方向の力の量は、ツールの使用を必要としえ、又は、手動で実行されうる。例えば、滑動するために要求される上記の縦方向の力を達成するための垂直方向の力の量は、２ポンドから１０ポンドでありうる。
【手続補正１２】
【補正対象書類名】明細書
【補正対象項目名】００２８
【補正方法】変更
【補正の内容】
【００２８】
シート４００ａ、４００ｂの形状は、挿入されるフレームの一部の形状と合致しうる。例えば、シート４００ａ、４００ｂは、縦方向１０６に延伸する長方形溝でありうる。図示された実施形態においては、シート４００ａ、４００ｂの角のインデント４０２ａ、４０２ｂは、フレームの下部エッジ上の対応する隆起を収容しうる。
【手続補正１３】
【補正対象書類名】明細書
【補正対象項目名】００３０
【補正方法】変更
【補正の内容】
【００３０】
クランプ１１６は、フレームとのツールなしでの噛み合いを容易にするという利点がありうる。特に、傾斜部分４０８は、水平方向１０４において、シート４００ａ、４００ｂから外側に配置されうる。図示されるように、傾斜部分４０８は、クランプ１１６の中心からの距離に従って、垂直方向１０２において下に向かって傾斜する。この方法においては、フレームに対して東西ブラケットを付勢する水平方向の力に応答して、傾斜部分４０８は、クランプ１１６をフレーム上に導き、フレームが、シート４００ａ、４００ｂの一つに噛み合うことができるようにする。傾斜部分４０８は、クランプ１１６の遠端からシート４００ａ、４００ｂの外壁４１０に延伸しうる。図示されるように、傾斜部分４０８と壁４１０との間の推移は、丸みを帯びていることができる。
【手続補正１４】
【補正対象書類名】明細書
【補正対象項目名】００３１
【補正方法】変更
【補正の内容】
【００３１】
クランプ１１６は、シート４００ａ、４００ｂ内に挿入されたフレームの一部に接触するように配置された１以上の引っかき部分４１２ａ、４１２ｂを含むことができる。特に、幾つかの応用においては、フレームは、ペイント、陽極酸化、又は、幾つかの他のコーティングによってコーティングされることができる。これらのコーティングは、非導電性とすることができる。したがって、引っかき部分４１２ａ、４１２ｂは、フレームがシート４００ａ、４００ｂ内に配置されたとき、これらのコーティングを貫通するように配置されることができる。このように、クランプ１１６は、相互に固定されたパネル間の電気的接地接続を確立することができる。引っかき部分４１２ａ、４１２ｂは、コーティングを容易に貫通することができる任意の尖った構造とすることができる。例えば、図４Ａに示される波打ち（ｓｃａｌｌｏｐｅｄ）部分が用いられうる。図４Ｂに示されるように、引っかき部分４１２ａ、４１２ｂは、垂直方向１０２において、シート４００ａ、４００ｂの下部面よりも高く延伸し、引っかき部分４１２ａ、４１２ｂが、シート４００ａ、４００ｂ内に挿入されたフレーム内へと貫通するようにする。
【手続補正１５】
【補正対象書類名】明細書
【補正対象項目名】００３２
【補正方法】変更
【補正の内容】
【００３２】
図４Ｃを特に参照すると、図示された実施形態においては、クランプ１１６は、一方側に、傾斜部分４０８とスペーサ４０４を形成し、対向側に引っかき部分４１２ａを形成するように何れかの側に屈曲する材料の元々平坦な片から形成されることができる。例えば、金属片は、平坦又は湾曲することができる、中央部分４１６のいずれかの側にフランジ４１４及びフランジ４２０を含むように屈曲されることができる。図示された実施形態において、平坦な中央部分４１６は、引っかき部分４１２ａ、４１２ｂ間に縦方向に突出し、これは、引っかき部分４１２ａ、４１２ｂの間に、スペーサ１０８の平坦な下部面の収容を可能にするという利点がありうる。
【手続補正１６】
【補正対象書類名】明細書
【補正対象項目名】００３５
【補正方法】変更
【補正の内容】
【００３５】
図５Ａ〜図５Ｅは、ソーラパネルに用いる東西ブラケットを図示する。特に、図５Ａを参照すると、実装されたとき、例えば、ソーラパネル５００ｂのフレーム５０２は、図示されるように、東西ブラケットに固定される。例えば、スペーサ１０８の一方の側から突出するスプライス１１２の一部は、フレーム５０２の一部５０４ａ内に規定されるチャネル内に挿入される。例えば、フレーム部分５０４ａ、５０４ｂは、チャネル５０６、５０８の高さより低い、垂直方向１０２の高さを有する開口部を生成する外部リップ５１０を有する１以上のチャネル５０６、５０８を規定しうる。スロット５０６、５０８の図示された構成は、従来のアプローチにおいて、リップ５１０がナットの頭部の離脱を阻止し、スロット５０６、５０８内で滑動できるように、ナットの頭部を受けるために用いられる。スプライス１１２は、そのような既存のチャネル５０６、５０８内にフィットするサイズとされる利点がありうる。しかし、他の構成も用いられることができる。例えば、図示されたチャネル５０６、５０８は、フレーム部分５０４ａ、５０４ｂの長さに沿って延伸する開口部を有する。しかし、スプライス１１２は、チャネル５０６、５０８のうちの一つの端に挿入されるのみで、したがって、チャネル５０８は、図示されるように、その全体の長さに沿う開口部を更に含むのではなく、角において開口しているのみとすることができる。
【手続補正１７】
【補正対象書類名】明細書
【補正対象項目名】００３６
【補正方法】変更
【補正の内容】
【００３６】
図５Ａに示されるように、東西ブラケット１００は、スプライス１１２とクランプ１１６との間にフレーム５０２の一部を捕捉することによって、フレーム５０２を固定する。図示されるように、フレーム部分５０４ｂの下部エッジは、クランプ１１６のシート４００ｂのうちの一つ内に挿入され、スプライス１１２は、フレーム部分５０４ｂに直交するフレーム部分５０４ａのチャネル５０６、５０８のうちの一つ内に挿入される。
【手続補正１８】
【補正対象書類名】明細書
【補正対象項目名】００３７
【補正方法】変更
【補正の内容】
【００３７】
図５Ｃ及び図５Ｄを参照すると、第２のソーラパネル５００ａは、スプライス１１２の反対側に噛み合う（係合する）ことができ、図示されたソーラパネルについて示されるものとは、鏡面反転された配置で、シート４００ａ内に収容することができる。示されるように、スプライス１１２は、ソーラパネル５００ａのフレーム部分５０４ｃのチャネル５０６内に挿入される。容易に明確なように、スペーサ１０８は、図示されたフレーム部分５０４ｂ、５０４ｄの間など、ソーラパネル５００ａ、５００ｂ間の離間を維持し、フレーム部分５０４ｄは、フレーム部分５０４ｃに直交している。パネル５００ａ、５００ｂの間の離間は、ソーラパネル５００ａ、５００ｂを相互に結合する配線へのアクセスを可能としうる。幾つかの実施形態においては、東西ブラケット１００は、ソーラパネル５００ａ、５００ｂと噛み合うとき、配線へのアクセスを更に容易にし、又は、平らでない屋根面上にパネルをより正確に整列するために、ソーラパネルが相互にいくらか移動するのを可能としうる。例えば、東西ブラケット１００は、東西ブラケット１００を取り外さなくても、ソーラパネル５００ａ、５００ｂの一方又は両方が１ｍｍ以上移動するのを可能としうる。
【手続補正１９】
【補正対象書類名】明細書
【補正対象項目名】００３８
【補正方法】変更
【補正の内容】
【００３８】
図５Ｅを参照すると、上記したように、ボルト１１８は、図示したように、クランプ１１６をフレーム部分５０４ｂ、５０４ｄに対し付勢するために、クランプ１１６内の穴４２２に噛み合いうる。特に、バネ１２０は、簡単に乗り越えることができる付勢による方法で、クランプ１１６をフレーム部分５０４ｂ、５０４ｄに噛み合うようにしうる。ボルト１１８に張力を加えることにより、クランプ１１６または、ソーラパネルのフレームを変形することなしに、東西ブラケット１００との噛み合いからソーラパネル５００ａ、５００ｂが外れてしまうことを防止するために有効なように、クランプ１１６に加えられる圧力が増加される。
【手続補正２０】
【補正対象書類名】明細書
【補正対象項目名】００３９
【補正方法】変更
【補正の内容】
【００３９】
図６を参照すると、１以上の東西ブラケット１００によって一緒に結合される２以上のソーラパネルは、建物の屋根、専用プラットフォームなどの支持構造に更に搭載されうる。東西ブラケット１００は、隣接するソーラパネル５００ａ、５００ｂを相互に固定し、パネル５００ａ、５００ｂを搭載するための個別のラックの必要性を排除するという利点がある。したがって、ソーラパネル５００ａ、５００ｂは、また、ラックなしで、支持構造に固定されうる。例えば、Ｌ−フット６００は、スロット６０４又は穴を含む、上部フランジ６０２を規定しうる。ボルト６０６は、フレーム部分５０４ａ、５０４ｃのうちの一つのチャネル５０６、５０８のうちの一つ内に、その頭部を有するように配置される。ボルト６０６は、スロット６０４を通り、ソーラパネル５００ａ、５００ｂのうちの一つにフランジ６０２を固定するように張力をかけることができるナット６０８と噛み合うことができる。ワッシャ６１０は、ナット６０８と上部フランジ６０２との間に配置されることができる。図示された実施形態においては、スプライス１１２は、フレーム部分５０４ａの上部チャネル５０６内に配置され、ボルト６０６の頭部は、その下部スロット５０８内に配置される。このように、Ｌ−フット６００の考えられる位置は、スプライス１１２によって制限されない。多くの応用において、Ｌ−フット６００は、たるき、又は、固定される他の構造上に配置されなければならない。したがって、Ｌ−フット６００の配置の柔軟性が望まれる。
【手続補正２１】
【補正対象書類名】明細書
【補正対象項目名】００４０
【補正方法】変更
【補正の内容】
【００４０】
Ｌ−フット６００の下部フランジ６１２は、ある他の構造６１６上に静置されるスペーサ６１４上に静置されうる。構造６１６は、屋根板、タイル、もしくはその他の屋根カバーとすることができ、又は、ソーラパネル５００ａ、５００ｂを支持するためにそのようなカバー上に配置される、雨押さえもしくはパネルとすることができる。ラグボルト又はある他のファスナ（締結具）は、たるき、又は、ある他の支持構造に噛み合うために、Ｌ−フット６００の下部フランジ６１２、スペーサ６１４、及び構造６１６を通過して通ることができる。スロット６０４は、下部フランジ６１２に対し、下部フランジ６１２がクランプ１１６の下に配置され、かつ、フランジ６０２がフレーム部分５０４ａに固定される場合、フレーム部分５０４ａ、５０４ｃからＬ−フット６００を取除くことなく、フレーム部分５０４ａ、５０４ｃから外れるようにクランプ１１６が動けるような余裕を下部フランジ６１２が依然提供するように、配置されうる。
【手続補正２２】
【補正対象書類名】明細書
【補正対象項目名】００４１
【補正方法】変更
【補正の内容】
【００４１】
図７Ａを参照すると、使用中、東西ブラケット１００をソーラパネル５００ａ、５００ｂと噛み合うように移動することによって、又は、ソーラパネル５００ａ、５００ｂを、他のソーラパネル５００ａ、５００ｂと既に噛み合っている東西ブラケット１００などの、東西ブラケット１００に噛み合うように移動することによって、ソーラパネル５００ａ、５００ｂ及び東西ブラケット１００を一体にすることができる。ソーラパネル５００ａ、５００ｂ又は東西ブラケット１００の相対的移動は、一般に、水平方向１０４（例えば、水平方向から＋／−５度の範囲内）とすることができる。
【手続補正２３】
【補正対象書類名】明細書
【補正対象項目名】００４２
【補正方法】変更
【補正の内容】
【００４２】
ソーラパネル５００ａ、５００ｂと東西ブラケット１００が一体にされると、ソーラパネル５００ａ、５００ｂの一部７００（例えば、フレーム部分５０４ｂ、５０４ｄの下部エッジ）は、クランプ１１６の点線表現で示されるように、クランプ１１６を下方向に付勢する、クランプ１１６の傾斜部分４０８に接触する。クランプ１１６を下方に付勢することは、ボルト１１８を下方に引っ張り、バネ１２０を圧縮する。
【手続補正２４】
【補正対象書類名】明細書
【補正対象項目名】００４３
【補正方法】変更
【補正の内容】
【００４３】
図７Ｂに示されるように、一部７００が、傾斜部分４０８を通り過ぎ、シート４００ａ、４００ｂのうちの一つの上まで動くと、バネ１２０の付勢力は、クランプ１１６を上方に付勢し、一部７００が、付勢力により、シート４００ａ、４００ｂ内に付勢されるようにする。一部７００をシート４００ａ、４００ｂ内に収容することは、収容が起こったことをユーザが確認することができる、クリック音を生成するという利点がありうる。
【手続補正２５】
【補正対象書類名】明細書
【補正対象項目名】００４５
【補正方法】変更
【補正の内容】
【００４５】
図８Ａから図８Ｃを参照すると、幾つかの実施形態においては、北南ブラケット８００も、ソーラパネル同士を一体に固定することができる。北南ブラケット８００は、北南方向に配向されたソーラパネル同士を一体に固定するために用いられるだろうことは考えられる。しかし、北南ブラケット８００は、また、東西又は他の方向に相互に整列したソーラパネル同士を一体に結合するためにも用いられうる。幾つかの実施形態においては、ソーラパネルは、任意の方向に配向された２次元アレイに配列され得る。東西走行エッジ（又は、ある第１の方向に配向されたエッジ）は、北南ブラケット８００によって、相互に固定されえ、北南走行エッジ（又は、第１の方向とは直交して配向されるエッジ）は、東西ブラケット１００を用いて相互に固定されえ、その逆も可能である。
【手続補正２６】
【補正対象書類名】明細書
【補正対象項目名】００４６
【補正方法】変更
【補正の内容】
【００４６】
北南ブラケット８００は、共に平坦で、相互に平行でありえる互いに反対側の面８０４ａ、８０４ｂを規定するスペーサ８０２を含みうる。面８０４ａ、８０４ｂは、北南ブラケット８００を用いて固定されるソーラパネルの表面に合致しうる。図示された実施形態においては、面８０４ａ、８０４ｂは、垂直及び水平方向１０２、１０４に平行な平面内に延伸する。結節８０６ａ、８０６ｂは、縦方向１０６に、表面８０４ａ、８０４ｂから外側に突き出る。このように、結節８０６ａ、８０６ｂは、北南ブラケット８００を用いて固定されるソーラパネルのフレーム内で規定されるチャネルのうちの一つ内に配置されうる。
【手続補正２７】
【補正対象書類名】明細書
【補正対象項目名】００４７
【補正方法】変更
【補正の内容】
【００４７】
スペーサ８０２は、水平方向にスペーサ８０２から外側に延伸するフランジ８０８を更に規定することができる。フランジは、ファスナ（締結具）を受けるための、スロット８１０、穴、又はある他の構造を規定することができる。図示された実施形態においては、スロット８１０、穴、又は他の構造は、縦方向１０６に、フランジ８１０を通って延伸する。フランジ８０８は、縦方向１０６の厚さより、垂直方向１０２に、例えば３倍から５倍ほど、より高くすることができる。同様に、フランジ８０８は、厚さよりも、例えば５倍から１０倍ほど、水平方向１０４に長くすることができる。水平方向１０４の長さは、また、垂直方向１０２の高さよりも、例えば１倍から２倍ほど長くすることができる。
【手続補正２８】
【補正対象書類名】明細書
【補正対象項目名】００４８
【補正方法】変更
【補正の内容】
【００４８】
ボルト８１２は、スペーサ８０２を通る穴８１４を貫通し、クランプ１１６に噛み合うことができる。バネ８１６は、ボルト８１２の頭部と、スペーサ８０２との間に介在しえ、東西ブラケット１００と同様にして、ボルト８１２とクランプ１１６を上方に付勢する。図８Ｃに示されるように、穴８１４は、バネ８１６と噛み合うさら穴部分８１８を含みうる。
【手続補正２９】
【補正対象書類名】明細書
【補正対象項目名】００５１
【補正方法】変更
【補正の内容】
【００５１】
図９Ａ及び図９Ｂは、北南スペーサ８００の動作を図示する。スペーサ８０２は、フレーム部分５０４ｂ、５０４ｄのチャネル５０６、５０８のうちの一つの中に結節８０６を挿入するように、ソーラパネル５００ａ、５００ｂの間に挿入される。クランプ１１６は、同様に、東西ブラケット１００がシート４００ａ、４００ｂ内にフレーム部分５０４ｂ、５０４ｄの一部を配置させるのと同様な方法で、フレーム部分５０４ｂ、５０４ｄに噛み合うことができる。
【手続補正３０】
【補正対象書類名】明細書
【補正対象項目名】００５２
【補正方法】変更
【補正の内容】
【００５２】
北南ブラケット８００は、結節８０６ａ、８０６ｂをチャネル５０６、５０８内で滑動させることにより、フレーム部分５０４ｂ、５０４ｄに沿った様々な位置に沿った配置を可能にするという利点がある。上記したように、ソーラパネルが固定されなければならないたるき又はその他の構造部材は、ソーラパネル５００ａ、５００ｂの配置に対応しない様々な場所とすることができる。したがって、北南ブラケットが滑動できることによって、この変動性に順応するために、様々な場所における固定を可能とすることができる。例えば、ボルト９００は、その頭部９０２を、フレーム部分５０４ｂ、５０４ｄのチャネル５０６、６０８のうちの一つの中に配置させることができる。ボルト９００は、スロット８１０を通ってなど、フランジ８０８を通って通過することができる。ナット９０４は、ボルト９００と噛み合うことができる。ボルト９００は、また、Ｌ−フット６００の上部フランジ６０２を通って通過することもできる。したがって、ナット９０４に張力を加えることは、上部レグ６０２をフレーム部分５０４ｂ、５０４ｄに固定するだろう。